(57)【要約】【課題】画面領域や操作性に制限があっても、誰でも簡単に目的の番組を検索することのできる放送受信装置を提供する。【解決手段】放送局から放映情報に付加されて送られてくる番組表情報はデータベース部２３に保持された後、番組表管理部２６によって所定の形式で表示される。ここで、予め検索対象となるジャンルを選択しておくこと、そのジャンルに通知音が設定されて設定情報記憶部２９に記憶される。そして、番組検索の操作中において、表示操作部２４の画面上に表示された番組表の各番組のジャンルと設定情報記憶部２９に記憶されたジャンルとの比較により一致するものが検索されると、そのジャンルに対応した通知音が出力される。これにより、画面領域や操作性に制限があっても目的とする番組を簡単に検索できる。【選択図】図１
2007096401.tif 000002
【特許請求の範囲】
【請求項１】
各番組のジャンルに関する情報を含んだ番組表を受信する受信手段と、
この受信手段によって受信された番組表を画面上に表示する表示手段と、
検索対象とするジャンルを選択するジャンル選択手段と、
所定の操作に伴い、上記表示手段によって画面上に表示された番組表の各番組のジャンルと上記ジャンル選択手段によって選択されたジャンルとを比較して、上記番組表の各番組の中から上記選択ジャンルと一致するものを検索する検索手段と、
この検索手段によって該当するジャンルが検索された場合に、そのジャンルに応じた通知音を出力する音声出力手段と
を具備したことを特徴とする放送受信装置。
【請求項２】
同一チャンネル内の番組表を時間順にスクロール表示するための第１の操作手段を備え、
上記検索手段は、上記第１の操作手段に従って順次表示される番組表の各番組のジャンルが上記ジャンル選択手段によって選択されたジャンルと一致するか否かを判断することを特徴とする請求項１記載の端末装置。
【請求項３】
他チャンネルの番組表の切替えを含む画面スクロールを指示するための第２の操作手段を備え、
上記検索手段は、上記第２の操作手段に従って切り替えられた番組表の各番組のジャンルの中に上記選択手段によって選択されたジャンルが含まれているか否かを判断することを特徴とする請求項１記載の端末装置。
【請求項４】
視聴履歴情報を管理する管理手段を備え、
上記ジャンル選択手段は、上記管理手段によって管理された視聴履歴情報に基づいて、前回の視聴番組のジャンルを検索対象として選択することを特徴とする請求項１記載の端末装置。
【請求項５】
上記ジャンル選択手段によって選択されたジャンルにそのジャンルに固有の通知音を設定する設定手段を備え、
上記音声出力手段は、上記ジャンル検索手段によって該当するジャンルが検索されたときに、上記設定手段によって設定された通知音を出力することを特徴とする請求項１記載の端末装置。
【発明の詳細な説明】
【技術分野】
【０００１】
本発明は、例えば携帯電話機や車載用テレビ受信機などに用いられる放送受信装置に関する。
【背景技術】
【０００２】
ＢＳ（Broadcasting Satellite）や地上波などのデジタル放送のサービスの１つに、ＥＰＧ（Electronic Program Guide）と呼ばれる電子番組ガイド機能がある。これは、番組のタイトルや開始時刻、終了時刻、番組内容の詳細などの情報を送信するサービスであり、受信側では、ＰＣやテレビ受信機の画面上でこれらの情報を確認でき、また、特定のジャンルのみを画面上に表示して番組検索を行うことができる。
【０００３】
ここで、図１０を参照して従来の番組検索方法について説明する。
【０００４】
図１０は移動端末用に文字フォントを大きくしたリスト型のＥＰＧ画面の一例を示している。このＥＰＧ画面は、所定の操作によりジャンル色を選択した後に表示される。図中の１１はチャンネル表示欄、１２は番組表示欄、１３は上下のスクロールキー、１４はジャンル選択欄、１５はジャンル色表示欄である。また、１６ａは次画面にスクロールするための次画面スクロールキー、１６ａは前画面にスクロールするための前画面スクロールキー、１７ａは左方向の移動を指示するための左カーソルキー、１７ｂは右方向の移動を指示するための右カーソルキーである。
【０００５】
チャンネル表示欄１１には、現在選択されているチャンネル名が表示される。番組表示欄１２には、番組表が所定件数（ここでは５件）ずつ更新表示される。スクロールキー１３は、番組表示欄１２上でフォーカスＦを行方向にスクロール操作するためのものである。ジャンル選択欄１４には、ユーザによって選択されたジャンルが色分け表示される。この例では、「ニュース」，「ドラマ」，「スポーツ」，「その他」の４つのジャンルがそれぞれに個別の色で表示されている。ジャンル色表示欄１５は、番組表示欄１２に表示された番組表の中に上記ジャンル選択欄１４にて選択されたジャンルが存在する場合にそのジャンルの色が表示される。
【０００６】
このような構成のＥＰＧ画面において、ユーザ（視聴者）はスクロールキー１３の操作などにより、番組表示欄１２の中でフォーカスＦを移動させながら、目的の番組を選択する。その際、番組表示欄１２の端に設けられたジャンル色表示欄１５に目的のジャンルの色が表示されているので、その色を目標にして番組検索を行うことができる。
【０００７】
しかしながら、このようなジャンル色による番組検索では、スクロール操作などを繰り返している間に目的の番組を見逃してしまうことが多い。特に、携帯電話機や車載用のテレビ受信機などのように画面サイズの小さい機器にあっては、番組のジャンルが色分け表示されていても非常に見づらいので、そこにフォーカスＦを素早く移動させることは難しい。また、このような小型の機器では、表示エリアが限られていることから、ジャンル選択欄１４の表示が省略されることもあり、そのような場合には目的のジャンルが何色で表示されるのかさえ分からなくなる。
【０００８】
このように、視覚的な検索方法は、検索操作中に目的の番組を見失うことがあり、特に画面サイズの小さい機器では、画面が見づらいために有効的でないのが現状である。
【０００９】
なお、ＥＰＧにおいて、音声情報を利用して番組を選択する技術が知られているが（例えば、特許文献１参照）、これは番組選択のためのガイドを音声情報に変換して出力するものであり、検索操作中に画面と連携させてユーザの意図する箇所で音声出力するものではない。
【特許文献１】特開２００４−１６６２９４号公報
【発明の開示】
【発明が解決しようとする課題】
【００１０】
上述したようなジャンル色による検索方法は、常に画面を注視してスクロール操作などを繰り返さなければならないため、非常に面倒であり、特に携帯電話機や車載用のテレビ受信機などのように、画面領域や操作性が制限されている小型の機器では不適切であり、目的の番組を探しづらいなどの問題があった。
【００１１】
本発明は上記のような点に鑑みなされたもので、画面領域や操作性に制限があっても、誰でも簡単に目的の番組を検索することのできる放送受信装置を提供することを目的とする。
【課題を解決するための手段】
【００１２】
本発明の放送受信装置は、各番組のジャンルに関する情報を含んだ番組表を受信する受信手段と、この受信手段によって受信された番組表を画面上に表示する表示手段と、検索対象とするジャンルを選択するジャンル選択手段と、所定の操作に伴い、上記表示手段によって画面上に表示された番組表の各番組のジャンルと上記ジャンル選択手段によって選択されたジャンルとを比較して、上記番組表の各番組の中から上記選択ジャンルと一致するものを検索する検索手段と、この検索手段によって該当するジャンルが検索された場合に、そのジャンルに応じた通知音を出力する音声出力手段とを具備したことを特徴とする。
【００１３】
このような構成によれば、番組検索の操作中において、画面上に表示された番組表の各番組の中に予め検索対象として選択されたジャンルと一致するものが存在すれば、その旨が音によって通知されるので、目的の番組を簡単に検索することができる。
【発明の効果】
【００１４】
本発明によれば、番組検索におけるユーザへの通知方法として画面内容と連携する音を利用したことで、例えば携帯電話機や車載用のテレビ受信機などのように、画面領域や操作性が制限されている小型の機器であっても、簡単に目的の番組を検索することができる。
【発明を実施するための最良の形態】
【００１５】
以下、図面を参照して本発明の実施形態を説明する。
【００１６】
図１は本発明の一実施形態に係る放送受信装置の構成を示すブロック図である。なお、この放送受信装置は、例えは携帯電話機や車載用のテレビ受信機などの小型の機器に適用される。
【００１７】
図１に示すように、この放送受信装置は、アンテナ２１、チューナ部２２、データベース部２３を備える。待機中あるいは受信放送画面の表示中において、アンテナ２１にて受信された放送電波は、チューナ部２２を通して復調され、音声・映像・データの放映情報と、その放映情報に付加された未来の番組表情報に変換分離される。この番組表情報は、各番組のタイトルや時間などを示す番組情報と、その番組内容のジャンルを示すジャンル情報とからなり、これらの情報がデータベース部２３に随時保持される。
【００１８】
なお、上記番組表情報は、放送局から定期的（例えば一週間毎など）に送られてくる。この場合、ある特定の局がすべての局の番組表情報を送る方法と、各局が個別に自分の番組表情報だけを送る方法がある。このような方法によって送られてくる各局の番組表情報は、データベース部２３内に所定の形式で記憶保持され、その都度、定期的に更新される。
【００１９】
また、この放送受信装置は、表示操作部２４、制御部２５、番組表管理部２６、ジャンル音機能部２７、音声出力部２８、設定情報記憶部２９を備える。
【００２０】
表示操作部２４は、例えば液晶表示装置とタッチパネルとが一体化された入力兼用の表示機器からなり、チューナ部２２を通じて復調された放映情報に含まれる映像・データなどを表示すると共に、各種設定画面などの他に、ここではＥＰＧ画面の表示を行う。音声出力部２８は、例えばスピーカからなり、チューナ部２２を通じて復調された放映情報に含まれる音声情報などを出力する他に、ここでは各ジャンル毎に設定された通知音を出力する。
【００２１】
制御部２５は、本装置全体の制御を行う部分であり、例えばマイクロプロセッサからなり、ＲＯＭ等の記憶媒体に記憶されたプログラムを読み込むことにより各種処理を実行する。
【００２２】
番組表管理部２６は、ＥＰＧ画面上に表示される番組表を管理しており、視聴履歴テーブル２６ａを有する。この視聴履歴テーブル２６ａには、ユーザが過去に視聴した番組の情報が視聴履歴情報として記憶される。なお、履歴の期間としては、例えば１ヶ月間あるいは１年間など予め固定的に決められていても良いし、ユーザが任意に設定できるようにしても良い。
【００２３】
ジャンル音機能部２７は、番組検索時に設定情報記憶部２９に記憶された設定情報に基づいて、検索対象ジャンルに対応した通知音を出力する機能を備える。設定情報記憶部２９には、予め検索対象として選択されたジャンルとそのジャンルに対応した通知音の種類が設定情報として記憶されている。実際の音情報はデータベース部２３に登録されており、ジャンル音機能部２７はこの設定情報記憶部２９を参照してデータベース部２３から該当する音情報を読み出し、これを通知音（ジャンル音）として制御部２５を介して音声出力部２８から出力する。
【００２４】
図２に設定情報記憶部２９の一例を示す。  
この例では、ジャンルの「ニュース」に対し「ピンポーン」といった通知音が設定されている。また、ジャンルの「スポーツ」に対し「カキーン」といった通知音が設定されている。
【００２５】
次に、上記のように構成される放送受信装置の動作について説明する。  
なお、以下の各フローチャートで示される処理は、マイクロコンピュータである制御部２５が所定のプログラムを読み込むことにより実行される。
【００２６】
（ａ）ジャンルと通知音の設定処理  
まず、ジャンルと通知音の設定処理について説明する。
【００２７】
図３はジャンルと通知音の設定処理を示すフローチャートである。番組検索に際し、予め目的の番組のジャンルを選択しておく（ステップＡ１１）。具体的には、例えば所定の操作により図示せぬジャンル一覧画面を表示し、そのジャンル一覧画面の中からユーザが検索対象とするジャンルを選択する。
【００２８】
ジャンルが選択されると、ジャンル音機能部２７は、そのジャンルに対応した通知音を設定し、その設定内容を示す情報を設定情報記憶部２９に記憶する（ステップＡ１３）。上記通知音は、ユーザが図示せぬ通知音選択画面を通じて任意に選択することができる。この通知音選択画面には、例えば「ピンポーン」，「カキーン」…など、データベース部２３に予め登録されている音情報の一覧が表示され、その中から好みの音情報を通知音して選択できる。
【００２９】
なお、ジャンルの選択は１つでも良いし、複数選択することでも良い。複数のジャンルを選択した場合には、それぞれに通知音が設定されることになる。図２の例では、２つのジャンルを選択した場合の設定例が示されている。
【００３０】
また、このようなユーザ操作によるジャンル選択の他に、例えば前回の視聴番組のジャンルを自動選択する方法、また、最も視聴頻度の高いジャンルを自動選択する方法などがある。
【００３１】
図４は前回の視聴番組のジャンルを自動選択する場合の処理を示すフローチャートである。
【００３２】
制御部２５は、番組表管理部２６に設けられた視聴履歴テーブル２６ａから過去の視聴履歴を示した情報を読み出し（ステップＢ１１）、その視聴履歴情報に基づいて前回の放送受信時にユーザが最後に視聴した番組のジャンルを特定する（ステップＢ１２）。そして、制御部２５は、上記特定したジャンルを今回の検索対象ジャンルとしてジャンル音機能部２７に与える（ステップＢ１３）。これにより、例えば前回の放送受信時にユーザがスポーツ関係の番組を最後に視聴した場合には、今回の検索対象ジャンルとして「ニュース」が自動選択されることになる。
【００３３】
図５は最も視聴頻度の高いジャンルを自動選択する場合の処理を示すフローチャートである。
【００３４】
制御部２５は、番組表管理部２６に設けられた視聴履歴テーブル２６ａから過去の視聴履歴を示した情報を読み出し（ステップＣ１１）、その視聴履歴情報に基づいてユーザが最も視聴した回数の多い番組のジャンルを特定する（ステップＣ１２）。そして、制御部２５は、上記特定されたジャンルを今回の検索対象ジャンルとしてジャンル音機能部２７に与える（ステップＣ１３）。これにより、例えばジャンル別の頻度回数で「ニュース」が最も高かった場合には、今回の検索対象ジャンルとして「ニュース」が自動選択されることになる。
【００３５】
（ｂ）ＥＰＧ画面の番組検索処理  
次に、ＥＰＧ画面の番組検索処理について説明する。なお、画面構成ついては、図１０と基本的には同じであり、同一符号を付してその説明は省略するものとする。
【００３６】
図６は同一チャンネル内のＥＰＧ表示スクロールを示す図である。今、検索対象ジャンルとして「ニュース」、それに対応する通知音として「ピンポーン」といった音情報が設定されているものとする。
【００３７】
まず、図６（ａ）に示すように、ＥＰＧ画面に設けられた番組表示欄１２に、現在選択されているチャンネル（この例では「０２１」チャンネル）の番組表が所定件数分表示されると共に、その中でニュース関係の番組が存在すれば、その番組に対応したジャンル色表示欄１５に「ニュース」のジャンル色が表示される。なお、一画面に表示可能な件数は画面サイズによって決められており、ここでは５件とする。
【００３８】
ここで、画面上に次画面スクロールキー１６ａを操作すると、図６（ｂ）に示すような次画面に切り替わり、番組表示欄１２に新たな５件分の番組表が表示される。その際、この新たな５件分の番組表の中にニュース関係の番組が含まれていると、ジャンル色の表示と共に「ピンポーン」といった通知音が出力される。なお、図中の太線で囲った部分がニュース関係の番組であるが、実際にはこの太線は表示されない。
【００３９】
また、フォーカスＦは画面スクロール前と同じ位置にある。図６（ｂ）の例では１行目にフォーカスＦが設定されている。ここで、ユーザが上下のスクロールキー１３を操作して、フォーカスＦを２行目に移動させると図６（ｃ）の状態になり、さらに、３行目に移動させると図６（ｄ）の状態になる。フォーカスＦを３行目に移動させると、そこにニュース関係の番組があるので、再び「ピンポーン」といった通知音が出力されることになる。
【００４０】
このように、画面切替えによって新規に表示された５件分の番組表の中に指定ジャンルである「ニュース」の番組が含まれている場合に「ニュース」の通知音である「ピンポーン」が出力され、さらに、同画面内でスクロール操作を行ってフォーカスＦが該当番組に設定されたときに再度同じ通知音が出力されることになる。これにより、ユーザは特に画面を注視していなくとも、検索操作中に発生する音を手かがりにして目的の番組を簡単に見つけ出すことができる。
【００４１】
以下に、このような番組検索を実現するための具体的な処理について説明する。
【００４２】
図７は同一チャンネルの番組表内で番組検索を行う場合の処理を示すフローチャートである。
【００４３】
まず、番組表管理部２６は、データベース部２３に記憶された番組表情報に基づいて先頭番組の開始時刻を取得すると共に（ステップＤ１１）、その開始時刻から所定件数分（例えば５件）の各番組の情報を取得して（ステップＤ１２）、ＥＰＧ画面の番組表示欄１２に表示する（ステップＤ１３）。このとき、番組表示欄１２の１行目にフォーカスＦがデフォルト表示される。
【００４４】
ここで、下方向のスクロール操作があると（ステップＤ１４のＹｅｓ）、その操作信号を制御部２５を介して番組表管理部２６が受けることにより、フォーカスＦを下方向に移動させる（ステップＤ１７）。その際、フォーカスＦが最下行にあれば（ステップＤ１５のＹｅｓ）、フォーカス位置はそのままの状態で、スクロール操作に従って番組表示欄１２の表示内容が更新される（ステップＤ１６）。
【００４５】
具体的に説明すると、今、番組表の中の「番組１」，「番組２」，「番組３」，「番組４」，「番組５」の５件が上から順に表示されており、フォーカスＦが最下行の「番組５」に設定されているものとする。ここで、下方向のスクロール操作が行われると、表示内容が１つ繰り上げられて、「番組２」，「番組３」，「番組４」，「番組５」，「番組６」といったように表示される。スクロール後のフォーカスＦは、最下行の「番組６」に設定される。
【００４６】
なお、ここでは、下方向のスクロール操作を想定したが、上方向のスクロール操作でも同様である。この場合、最上行つまり１行目にフォーカスＦがある状態で上方向のスクロール操作を続ければ、番組表の最後の番組から降順に表示されることになる。
【００４７】
このようなスクロール操作に伴い、番組表管理部２６では、データベース部２３に番組情報と共に記憶されたジャンル情報に基づいて、フォーカスＦが設定されている番組のジャンルを識別し、その結果をジャンル音機能部２７に与える（ステップＤ１８）。
【００４８】
ジャンル音機能部２７では、番組表管理部２６から与えられたジャンルが設定情報記憶部２９に記憶された検索対象ジャンルと一致するか否かを判断する（ステップＤ１９）。検索対象ジャンルと一致した場合には（ステップＤ１９のＹｅｓ）、ジャンル音機能部２７はそのジャンルに設定された通知音を設定情報記憶部２９から検索する（ステップＤ２０）。そして、その通知音の音情報をデータベース部２３から読み出し、これを制御部２５を介して音声出力部２８に出力する（ステップＤ２１）。
【００４９】
具体的に説明すると、図２に示すように、例えば「ニュース」に対して「ピンポーン」といった通知音が設定されているものとする。行方向のスクロール操作によってフォーカスＦを移動させた際に、そのフォーカスＦが「ニュース」の番組にきたときに、「ピンポーン」といった通知音に対応した実際の音情報がデータベース部２３から読み出されて、音声出力部２８を通じて再生出力されることになる。
【００５０】
このように、同一チャンネル内の番組表のスクロール操作中に検索対象ジャンルがヒットすれば、その旨が音によって通知される。したがって、ユーザは特に画面を注視していなくとも、目的とする番組の存在を知ることができる。これにより、例えば画面を注視せずに、先頭番組からスクロール操作を続けていき、音がしたときに操作を止めて、その時点で画面上に表示されている番組表を確認するといったような使い方もできる。
【００５１】
なお、上記ステップＤ１４において、下方向のスクロール操作ではなく、画面スクロール操作が行われた場合には、図６（ａ），（ｂ）で説明したように、新たに表示される所定件数分の番組表に検索対象ジャンルが含まれているか否かが検索され、検索対象ジャンルが含まれていれば通知音が出力される。このような画面スクロール操作による番組検索処理については、後に図９を参照して詳しく説明する。
【００５２】
次に、他チャンネルの番組表を含めて番組検索を行う場合を想定して説明する。
【００５３】
図８は他チャンネル移行時のＥＰＧ表示スクロールを示す図である。今、検索対象ジャンルとして「ニュース」、それに対応する通知音として「ピンポーン」といった音情報が設定されているものとする。
【００５４】
図８（ａ）に示すように、ＥＰＧ画面において、「０２１」チャンネルの番組表が表示されている状態で、例えば右カーソルキー１７ｂを操作すると、図８（ｂ）に示すように、「０２２」チャンネルの番組表が表示される。このとき、フォーカスＦは前画面と同じ位置に表示される。
【００５５】
また、図８（ｂ）の状態で、さらに右カーソルキー１７ｂを操作すると、図８（ｃ），（ｄ）のように、「０２３」チャンネル→「００４１」チャンネル…といったように、予め決められた順番で各チャンネルの番組表が順次表示される。なお、左カーソルキー１７ａを操作すれば、逆の順番で各チャンネルの番組表が順次表示されることになる。
【００５６】
この場合、ＥＰＧ画面に設けられた番組表示欄１２には、各チャンネル毎に同じような時間帯内の番組表が所定件数分（ここでは５件とする）表示されることになる。すなわち、例えば「０２１」チャンネルにおいて、「ＡＭ１１：００」〜「ＰＭ２：００」の時間帯で５件分の番組表が表示されていれば、画面スクロールによって「０２２」チャンネルや「０２３」チャンネル、「０４１」チャンネル…に切り替えた場合に、同じような時間帯に属する５件分の番組表が表示される。
【００５７】
なお、デジタル放送では、１つの放送局が同時に多数のチャンネルを持つことが可能である。図８の例では、３ケタ番号の「０２１」〜「０２３」が同じ放送局であることを表している。
【００５８】
このような画面スクロール操作により各チャンネルの番組表を切り替え表示した場合でも、上述した同一チャンネル内の画面切り替え時と同様に（図６（ａ），（ｂ）参照）、予め検索対象として選択されたジャンルが含まれていれば、それに対応した通知音が出力される。図８の例では、「０２１」チャンネルの番組表と「０４１」チャンネルの番組表の中に「ニュース」の番組が含まれているので、これらの番組表が表示されたときに「ピンポーン」といった通知音が出力される。
【００５９】
以下に、このような番組検索を実現するための具体的な処理について説明する。
【００６０】
図９は他チャンネルの番組表を含めて番組検索を行う場合の処理を示すフローチャートである。
【００６１】
今、あるチャンネルの番組表がＥＰＧ画面の番組表示欄１２に所定件数分（例えば５件）表示された状態で、図８で説明したように、例えば左カーソルキー１７ａや右カーソルキー１７ｂを用いて、他のチャンネルに移行するための画面スクロール操作を行ったものとする。
【００６２】
画面スクロール操作があると（ステップＥ１１のＹｅｓ）、番組表管理部２６は、データベース部２３から他チャンネルの番組表の中で同じような時間帯に属する所定件数分の各番組の情報を取得して（ステップＥ１２）、ＥＰＧ画面の番組表示欄１２に表示する（ステップＥ１３）。このとき、フォーカスＦは前画面と同じ位置に表示される。
【００６３】
このようにして、画面スクロールによって他チャンネルの番組表が新規に表示されると、番組表管理部２６では、データベース部２３に番組情報と共に記憶されたジャンル情報を検索して、現在画面上に表示されている番組表の各番組のジャンルをそれぞれ識別し、その結果をジャンル音機能部２７に与える（ステップＥ１４）。
【００６４】
ジャンル音機能部２７では、番組表管理部２６から与えられたジャンルが設定情報記憶部２９に記憶された検索対象ジャンルと一致するか否かを判断する（ステップＥ１５）。検索対象ジャンルと一致した場合には（ステップＥ１５のＹｅｓ）、ジャンル音機能部２７はそのジャンルに設定された通知音を設定情報記憶部２９から検索する（ステップＥ１６）。そして、その通知音の音情報をデータベース部２３から読み出し、これを制御部２５を介して音声出力部２８に出力する（ステップＥ１７）。
【００６５】
具体的に説明すると、図２に示すように、例えば「ニュース」に対して「ピンポーン」といった通知音が設定されていれるものとする。画面スクロール操作によって他チャンネルの番組表が新規に表示され、その中に「ニュース」の番組が含まれている場合に、「ピンポーン」といった通知音に対応した実際の音情報がデータベース部２３から読み出されて、音声出力部２８を通じて再生出力されることになる。
【００６６】
このように、画面スクロール操作によって他チャンネルの番組表に切り替えられたときに、その番組表の中に検索対象ジャンルが含まれていれば、その旨が音によって通知される。したがって、ユーザは特に画面を注視していなくとも、どのチャンネルに自分の視聴したい番組があるのかを音によって知ることができる。
【００６７】
また、チャンネルが特定された後、図６（ｃ），（ｄ）で説明したように、行方向のスクロール操作によってフォーカスＦを移動させれば、当該ジャンルの番組位置にフォーカスＦがきたときに再び通知音が出力される。よって、このときにも特に画面を注視せずに、音を頼りに目的の番組を素早く見つけ出すことができる。
【００６８】
なお、図９のフローチャートでは、カーソルキー１７ａ，１７ｂの操作により他のチャンネルに移行するための画面スクロールを想定して説明したが、図６（ａ），（ｂ）で説明したように、同じチャンネル内で画面スクロールキー１６ａ，１６ｂを操作した場合での画面スクロールでも同様であり、新たな表示された番組表の中に検索対象ジャンルが含まれていれば、その旨が音によって通知されることになる。
【００６９】
以上のように本発明によれば、ＥＰＧ画面で番組検索を行う場合において、ユーザへの通知方法として画面内容と連携する音を利用したことで、例えば携帯電話機や車載用のテレビ受信機などのような画面サイズの小さな機器であっても、その画面領域や操作性にとらわれずに、誰でも簡単に目的とする番組を速やかに検索することができる。
【００７０】
また、ジャンル選択方法として、前回の視聴番組のジャンルを自動選択する方法や最も視聴頻度の高いジャンルを自動選択する方法を用いることで、その都度、ユーザがジャンルを選択するといった面倒な操作を繰り返さなくとも、自分の好みのジャンルを自動選択して番組検索を簡単に行うことができて便利である。
【００７１】
また、各ジャンル毎に固有の通知音を設定しておくことかできるので、その音色を聞いただけで、どのジャンルの番組であるのかを判別することができる。
【００７２】
なお、上記実施形態では、携帯電話機などの移動体に用いられる放送受信装置を例にして説明したが、本発明はこれに限られるものではなく、通常のテレビ受信機やチューナ機能を備えたＰＣなど、放送チャンネルの電組表を受信可能な機器であれば、そのすべてに適用可能である。
【００７３】
要するに、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００７４】
【図１】図１は本発明の一実施形態に係る放送受信装置の構成を示すブロック図である。
【図２】図２は同実施形態における放送受信装置の設定情報記憶部の一例を示す図である。
【図３】図３は同実施形態における放送受信装置のジャンルと通知音の設定処理を示すフローチャートである。
【図４】図４は同実施形態における放送受信装置の前回の視聴番組のジャンルを自動選択する場合の処理を示すフローチャートである。
【図５】図５は同実施形態における放送受信装置の最も視聴頻度の高いジャンルを自動選択する場合の処理を示すフローチャートである。
【図６】図６は同実施形態における放送受信装置の同一チャンネル内のＥＰＧ表示スクロールを示す図である。
【図７】図７は同実施形態における放送受信装置の同一チャンネルの番組表内で番組検索を行う場合の処理を示すフローチャートである。
【図８】図８は同実施形態における放送受信装置の他チャンネル移行時のＥＰＧ表示スクロールを示す図である。
【図９】図９は同実施形態における放送受信装置の他チャンネルの番組表を含めて番組検索を行う場合の処理を示すフローチャートである。
【図１０】図１０は従来の番組検索方法を説明するための図である。
【符号の説明】
【００７５】
１１…チャンネル表示欄、１２…番組表示欄、１３…スクロールキー１３、１４…ジャンル選択欄、１５…ジャンル色表示欄、１６ａ…次画面スクロールキー、１６ｂ…前画面スクロールキー、１７ａ…左カーソルキー、１７ｂ…右カーソルキー、２１…アンテナ、２２…チューナ部、２３…データベース部、２４…表示操作部、２５…制御部、２６…番組表管理部、２６ａ…視聴履歴テーブル、２７…ジャンル音機能部、２８…音声出力部、２９…設定情報記憶部。
【図１】
2007096401.tif 000003
【図２】
2007096401.tif 000004
【図３】
2007096401.tif 000005
【図４】
2007096401.tif 000006
【図５】
2007096401.tif 000007
【図６】
2007096401.tif 000008
【図７】
2007096401.tif 000009
【図８】
2007096401.tif 000010
【図９】
2007096401.tif 000011
【図１０】
2007096401.tif 000012